(57)【要約】 【課題】通信端末に対するチャネル割当を効率的に行う。【解決手段】チャネル割当を要求した通信端末の受信信号レベルに基づいて通信可能なアンテナグループから最小アンテナ数のアンテナグループを設定し（Ｓ１０２、Ｓ１０３）、設定したアンテナグループが割り当てられた空スロットにチャネル割当を要求した通信端末を割り当てる（Ｓ１０４、Ｓ１０５）。【選択図】図２
2008113246.tif 000002
【特許請求の範囲】
【請求項１】
ＴＤＭＡ方式にて通信を行い、通信端末からのチャネル割当要求に応じて前記通信端末にタイムスロット毎に通信チャネルを割り当てる基地局装置であって、
タイムスロット毎にアンテナ本数別のアンテナグループを割り当てるアンテナグループ割当手段と、
チャネル割当を要求した通信端末の受信信号レベルに基づいて、通信可能な最小アンテナ数の前記アンテナグループを該通信端末との通信用に設定する設定手段と、
設定した前記アンテナグループが割り当てられているタイムスロットに、前記チャネル割当を要求した前記通信端末の通信チャネルを割り当てる割当手段と、
を備える基地局装置。
【請求項２】
前記割当手段は、設定した前記アンテナグループが割り当てられているタイムスロットに空通信チャネルが無い場合には、別の前記タイムスロットに前記通信端末の通信チャネルを割り当てる請求項１記載の基地局装置。
【請求項３】
前記割当手段は、設定した前記アンテナグループが割り当てられている前記タイムスロットに空き通信チャネルが無い場合は、設定した前記アンテナグループよりもアンテナ数が多いアンテナグループが割り当てられているタイムスロットに前記通信端末の通信チャネルを割り当てる請求項１又は２記載の基地局装置。
【請求項４】
ＴＤＭＡ方式にて通信を行い、通信端末からのチャネル割当要求に応じて前記通信端末にタイムスロット毎に通信チャネルを割り当てる通信制御方法であって、
タイムスロット毎にアンテナ本数別のアンテナグループを割り当てるアンテナグループ割当ステップと、
チャネル割当を要求した通信端末の受信信号レベルに基づいて、通信可能な最小アンテナ数の前記アンテナグループを該通信端末との通信用に設定する設定ステップと、
設定した前記アンテナグループが割り当てられているタイムスロットに、前記チャネル割当を要求した前記通信端末の通信チャネルを割り当てる割当ステップとを備える通信制御方法。
【請求項５】
前記割当ステップは、設定した前記アンテナグループが割り当てられているタイムスロットに空通信チャネルが無い場合には、別の前記タイムスロットに前記通信端末の通信チャネルを割り当てる請求項４記載の通信制御方法。
【請求項６】
前記割当ステップは、設定した前記アンテナグループが割り当てられている前記タイムスロットに空き通信チャネルが無い場合は、設定した前記アンテナグループよりもアンテナ数が多いアンテナグループが割り当てられているタイムスロットに前記通信端末の通信チャネルを割り当てる請求項４又は５記載の通信制御方法。
【発明の詳細な説明】
【技術分野】
【０００１】
本発明は通信端末に対するチャネル割当技術に関する。
【背景技術】
【０００２】
移動体通信システムで採用される多重化技術として、時間軸をタイムスロットと呼ぶ所定時間で分割し、各タイムスロットに基地局装置が収容する複数のユーザに割り当てる時分割多重技術が知られている。基地局装置が収容する複数の移動体端末と基地局装置との通信においては、基地局装置に設けられた複数のアンテナをグループ化し、タイムスロット毎にアンテナグループを切り切りえて、アンテナを効率的に使用し、収容数を向上させている。このようなシステムにおけるチャネル割当は、空タイムスロットであることが確認できたタイムスロットに対して任意のチャネルを割り当てている。
【発明の開示】
【発明が解決しようとする課題】
【０００３】
従来のように任意のタイムスロットにチャネル割当を行うと、少ないアンテナ数で通信可能なユーザであるにもかかわらず、全く通信に使われていないタイムスロットが割り当てられることがあり、その場合アンテナ数を多く必要とする通信電力の小さいユーザを割り当てるタイムスロットがなくなり、そのユーザにタイムスロットを割り当てられなくなることがあり収容効率が低下する。
【課題を解決するための手段】
【０００４】
本発明の基地局装置は、ＴＤＭＡ方式にて通信を行い、通信端末からのチャネル割当要求に応じて前記通信端末にタイムスロット毎に通信チャネルを割り当てる基地局装置であって、タイムスロット毎にアンテナ本数別のアンテナグループを割り当てるアンテナグループ割当手段と、チャネル割当を要求した通信端末の受信信号レベルに基づいて、通信可能な最小アンテナ数の前記アンテナグループを該通信端末との通信用に設定する設定手段と、設定した前記アンテナグループが割り当てられているタイムスロットに、前記チャネル割当を要求した前記通信端末の通信チャネルを割り当てる割当手段とを備える。また、本発明の通信制御方法は、ＴＤＭＡ方式にて通信を行い、通信端末からのチャネル割当要求に応じて前記通信端末にタイムスロット毎に通信チャネルを割り当てる通信制御方法であって、タイムスロット毎にアンテナ本数別のアンテナグループを割り当てるアンテナグループ割当ステップと、チャネル割当を要求した通信端末の受信信号レベルに基づいて、通信可能な最小アンテナ数の前記アンテナグループを該通信端末との通信用に設定する設定ステップと、設定した前記アンテナグループが割り当てられているタイムスロットに、前記チャネル割当を要求した前記通信端末の通信チャネルを割り当てる割当ステップとを備える。
【０００５】
上記構成によれば、チャネル割当を要求した通信端末が通信可能な最小アンテナ数のアンテナグループを予めタイムスロットに割り当てることで、ユーザの通信チャネルを効率的に割り当てることが可能となるため、ユーザの収容効率を向上させることができる。
【０００６】
本発明において、設定した前記アンテナグループが割り当てられている通信中のタイムスロットに空通信チャネルが無い場合には、別の前記タイムスロットに前記通信端末の通信チャネルを割り当てる。この構成によれば、同一のアンテナグループが割り当てられているタイムスロットに空きチャネルが存在しない場合でも、他のタイムスロットに通信チャネルの割り当てが可能となるため、チャネル割当を確実に行うことができる。
【０００７】
本発明において、設定した前記アンテナグループが割り当てられている前記タイムスロットに空き通信チャネルが無い場合は、設定した前記アンテナグループよりもアンテナ数が多いアンテナグループが割り当てられているタイムスロットに前記通信端末の通信チャネルを割り当てる。この構成によれば、アンテナ数を多くして割当条件を緩くすることにより、チャネル割当を確実に行うことができる。
【発明を実施するための最良の形態】
【０００８】
図１は本発明の実施の形態に係る基地局装置の構成を示す図である。基地局装置１００は、複数のアンテナに接続されたＲＦ回路１０１と、それぞれ１又は複数のアンテナを占有する複数のシンセサイザ１０３と、変調部１０５と、復調部１０７と、チャネルエンコード部１０９と、チャネルデコード部１１１と、通信端末に通信チャネルを割り当てるチャネル制御部１１３と、タイムスロットの空きチャネルにチャネル割当を要求した通信端末を割り当てるようにチャネル制御部１１３を制御するアンテナグループ制御１１５とを備える。このアンテナグループ制御部１１５は、チャネル割当を要求した通信端末の受信信号（ＲＳＳＩ）レベルに基づいて通信可能な最小アンテナ数のアンテナグループを設定し、各アンテナグループをタイムスロット毎に割り当てる機能を備える。
【０００９】
基地局装置１００は、搭載されているアンテナの全てを用いる全アンテナグループと、搭載されているアンテナを複数に分割して用いる複数アンテナグループとからなるアンテナグループをタイムスロット毎に切り替えて、通信端末との通信に必要な電力を確保する。全アンテナグループでは、一つのシンセサイザが全てのアンテナを占有し、複数アンテナグループでは、グループ毎に異なるシンセサイザがグループ内のアンテナを占有する。また、基地局装置１００は収容する複数の通信端末との間で多重接続を実現するために、４つのタイムスロットを有する通信フレームを用いる。
【００１０】
図２は本発明の実施の形態に係る通信制御方法を示すフローチャートを示す図である。また、図３は２本のアンテナを有するアンテナグループ、４本のアンテナを有するアンテナグループ及び８本のアンテナを有するアンテナグループを各スロットに割り当てたタイムスロットに通信端末を割り当てる様子を示す図であり、（Ａ）、（Ｂ）、（Ｃ）はそれぞれ図２に示したＡ、Ｂ、Ｃの状態を示している。なお、図中、○印はスロットに割り当てられる通信端末を示している。
【００１１】
チャネル割当要求が発生すると（Ｓ１０１）、受信信号ＲＳＳＩレベルによって通信可能なアンテナグループを選択し（Ｓ１０２）、その中で最小アンテナ数のアンテナグループを割当アンテナグループとして設定する（Ｓ１０３）。その後、設定したアンテナグループが通信中のタイムスロットに空きチャネルが有るか否かを判断し（Ｓ１０４）、空きチャネルがある場合は（Ｓ１０４：Ｙｅｓ）、そのタイムスロットへの通信チャネルの割当を行う（Ｓ１０５）。
【００１２】
図３（Ａ）に示されるように、2本のアンテナを有するアンテナグループが割り当てられたスロット３０１には、既に３つの通信端末が割り当てられているが、まだ空があるため、通信端末をスロット３０１に割り当てる。
【００１３】
設定したアンテナグループが通信中のタイムスロットに空きチャネルが無い場合は（Ｓ１０４：Ｎｏ）、通信中のタイムスロットとは別のタイムスロットに、設定したアンテナグループの空きチャネルが有るか否かを判断し（Ｓ１０６）、設定したアンテナグループの空きチャネルが別のタイムスロットに有る場合は（Ｓ１０６：Ｙｅｓ）、そのタイムスロットへの通信チャネルの割当を行う（Ｓ１０７）。
【００１４】
図３（Ｂ）に示されるように、スロット３０１にはすでに４つの通信端末が割り当てられており空がないため、通信端末の通信チャネルを別のスロット３０２に割り当てる。
【００１５】
設定したアンテナグループの空きチャネルが別のタイムスロットに無い場合は（Ｓ１０６：Ｎｏ）、Ｓ１０３で設定したアンテナグループが全アンテナグループか否かを判断し（Ｓ１０８）、全アンテナグループの場合は（Ｓ１０８：Ｙｅｓ）、チャネル割当要求を拒否する（Ｓ１０９）。
【００１６】
全アンテナグループの場合以外は（Ｓ１０８：Ｎｏ）、アンテナ数が一段階多い複数アンテナグループに代えて（Ｓ１１０）、Ｓ１０４以降の処理を繰り返す。
【００１７】
図３（Ｃ）に示されるように、通信中のスロット３０１にはすでに４つの通信端末が割り当てられており、また２本のアンテナを有するアンテナグループを割り当てた別のスロット３０２にもすでに４本の通信端末が割り当てられている。この場合、アンテナ数を一段階上げて、４本のアンテナを有するアンテナグループが割り当てられたスロット３０３を検索し、通信端末をスロット３０３に割り当てる。
【００１８】
上記実施形態によれば、チャネル割当を要求した通信端末が通信可能な最小アンテナ数のアンテナグループをスロットに割り当て、そのスロットにチャネル割当を要求した通信端末を割り当てているため、チャネル割当要求に対してアンテナグループを考慮せず任意の空スロットに通信端末を割り当てる従来技術に比べて、アンテナグループを効率的に割り当てることが可能となるため収容効率が向上する。
【図面の簡単な説明】
【００１９】
【図１】本発明の実施形態に係る基地局装置の構成を示す図
【図２】本発明の実施形態に係る通信制御方法の処理の流れを示す図
【図３】タイムスロットに割り当てられる通信端末の様子を示す図
【符号の説明】
【００２０】
１００  基地局装置
１０１  ＲＦ回路部
１０３  シンセサイザ
１０５  変調部
１０７  復調部
１０９  チャネルエンコード部
１１１  チャネルデコード部
１１３  タイムスロット制御部
１１５  アンテナグループ制御部
【図１】
2008113246.tif 000003
【図２】
2008113246.tif 000004
【図３】
2008113246.tif 000005